(57)【要約】【課題】  液晶表示に不具合が生じない構造で、且つ作業効率を上げ、部品コストを削減する液晶表示装置を提供することである。【解決手段】  液晶表示装置は、液晶パネルを支持する額縁状の樹脂製の中枠１０と、中枠１０の背面に取り付けられる金属製のランプハウス１１とを備え、ランプハウス１１の端部に開口部を有した突片１１ａ〜１１ｄを設け、突片１１ａ〜１１ｄは中枠１０の外側面に沿って折り曲げられ、突片１１ａ〜１１ｄに対向する中枠１０の外側面に突起１０ａ〜１０ｄを設け、突片１１ａ〜１１ｄと突起１０ａ〜１０ｄとが係合する構成とする。【選択図】        図４
2005283867.tif 000002
【特許請求の範囲】
【請求項１】
液晶パネルを支持する額縁状の中枠と、該中枠に取り付けられるランプハウス及び裏蓋とを備えた液晶表示装置において、前記ランプハウス又は裏蓋の端部を前記中枠の側面に沿った突片とし、該突片に開口部を有し、該開口部に対向する前記中枠の側面に突起を設け、前記開口部と突起とが係合することを特徴とする液晶表示装置。
【請求項２】
液晶パネルを支持する額縁状の中枠と、該中枠に取り付けられるランプハウス及び裏蓋とを備えた液晶表示装置において、前記ランプハウス又は裏蓋の端部を前記中枠の側面に沿った突片とし、該突片に突起を有し、該突起に対向する前記中枠の側面に開口部を設け、前記突起と開口部とが係合することを特徴とする液晶表示装置。
【請求項３】
液晶パネルを支持する額縁状の樹脂製の中枠と、該中枠の背面に取り付けられる金属製のランプハウスとを備えた液晶表示装置において、
前記ランプハウスの端部に開口部を有した突片を設け、該突片は前記中枠の外側面に沿って折り曲げられ、該突片に対向する前記中枠の外側面に突起を設け、前記突片と突起とが係合することを特徴とする液晶表示装置。
【請求項４】
液晶パネルを支持する額縁状の中枠と、該中枠に取り付けられる回路基板とを備えた液晶表示装置において、前記回路基板の端部を前記中枠の側面に沿った突片とし、該突片に開口部を有し、該開口部に対向する前記中枠の側面に突起を設け、前記開口部と突起とが係合することを特徴とする液晶表示装置。
【請求項５】
液晶パネルを支持する額縁状の中枠と、該中枠に取り付けられる回路基板とを備えた液晶表示装置において、前記回路基板の端部を前記中枠の側面に沿った突片とし、該突片に突起を有し、該突起に対向する前記中枠の側面に開口部を設け、前記突起と開口部とが係合することを特徴とする液晶表示装置。
【発明の詳細な説明】
【技術分野】
【０００１】
本発明は、液晶パネルを支持する額縁状の中枠と、該中枠に取り付けられるランプハウス又は裏蓋とを備えた液晶表示装置に関するものである。
【背景技術】
【０００２】
液晶表示装置は、液晶パネル、各種光学シート、ランプ、回路基板等から構成される。これらを筐体内に装着するために中枠やランプハウスや裏蓋等が用いられている。図５（ａ）にランプハウスが固定された中枠の側面図、図５（ｂ）にランプハウスが固定された中枠の背面図、図６に図５（ａ）のＣ部の拡大図、図７に図５（ｂ）のＤ部の拡大図を示す。
【０００３】
額縁状の中枠１００にＬＥＤランプ等を収納するためのランプハウス１０１（図６、図７では斜線部分）がビス１０２ａ〜１０２ｄで固定されている。ビス１０２ａ〜１０２ｄは図７のように中枠１００の背面側から螺号されている。これは、組み立て時の作業性を考慮したためである。
【０００４】
また、特許文献１では図７のように背面側からビス止めする代わりに側面（図６に示した面）からビス止めしている。つまり、ランプハウス１０１を背面から側面に沿って断面Ｌ字型に成形している。
【特許文献１】特開２０００−２０６９００号公報
【発明の開示】
【発明が解決しようとする課題】
【０００５】
液晶表示装置はその額縁部を細くして表示部を大きくする傾向がある。その結果、中枠１００も細くなり、中枠１００は樹脂等を材料としているためそれ自体ではねじれ易い構造となっている。そこに上記のようにランプハウス１０１等をビス１０２ａ〜１０２ｄ止めすると、ビス１０２ａ〜１０２ｄを締め付けた方向の応力によって中枠１００はねじれてしまう。この状態で中枠１００に液晶パネルや光学シートを載せると、それらにストレスがかかる。そして、液晶パネルにリップルが生じたり、光学シートに皺が生じたりする不具合が出る。
【０００６】
特許文献１は回路基板固定用の固定ユニット（カバー）についての記載はあるが、ランプハウスについての記載はない。また、特許文献１では側面をビス止めしているので図５〜図７のように背面からビス止めするのと比べて作業性が悪い。更に、組み立てにビスを用いることが作業効率の悪化やコストアップに繋がっているという問題もある。
【０００７】
本発明は、液晶表示に不具合が生じない構造で、且つ作業効率を上げ、部品コストを削減する液晶表示装置を提供することを目的とする。
【課題を解決するための手段】
【０００８】
上記目的を達成するために本発明は、液晶パネルを支持する額縁状の中枠と、該中枠に取り付けられるランプハウス及び裏蓋とを備えた液晶表示装置において、前記ランプハウス又は裏蓋の端部を前記中枠の側面に沿った突片とし、該突片に開口部を有し、該開口部に対向する前記中枠の側面に突起を設け、前記開口部と突起とが係合することを特徴とするものである。
【０００９】
また本発明は、液晶パネルを支持する額縁状の中枠と、該中枠に取り付けられるランプハウス及び裏蓋とを備えた液晶表示装置において、前記ランプハウス又は裏蓋の端部を前記中枠の側面に沿った突片とし、該突片に突起を有し、該突起に対向する前記中枠の側面に開口部を設け、前記突起と開口部とが係合することを特徴とするものである。
【００１０】
また本発明は、液晶パネルを支持する額縁状の樹脂製の中枠と、該中枠の背面に取り付けられる金属製のランプハウスとを備えた液晶表示装置において、前記ランプハウスの端部に開口部を有した突片を設け、該突片は前記中枠の外側面に沿って折り曲げられ、該突片に対向する前記中枠の外側面に突起を設け、前記突片と突起とが係合することを特徴とするものである。
【００１１】
また上記の液晶表示装置において、前記ランプハウスや裏蓋と同様に、回路基板に突片や突起を設けてもよい。
【発明の効果】
【００１２】
本発明によれば、ビスを用いずに中枠にランプハウス、回路基板、又は裏蓋をはめ込む構成とすることにより、ビスを締め付けた方向の応力によって中枠がねじれることがない。従って、中枠に液晶パネルや光学シートを載せても、それらにストレスがかかることがなく、液晶パネルにリップルが生じたり、光学シートに皺が生じたりすることがない。
【００１３】
また、ビスを用いずに組み立てられるので作業効率を上げ、部品コストを削減することができる。
【発明を実施するための最良の形態】
【００１４】
液晶表示装置は、液晶パネル、各種光学シート、ランプ、回路基板等から構成される。これらを筐体内に装着するために中枠やランプハウスや裏蓋等が用いられている。図１（ａ）にランプハウスが固定された中枠の側面図、図１（ｂ）にランプハウスが固定された中枠の背面図、図２に図１（ａ）のＡ部の拡大図、図３に図１（ｂ）のＢ部の拡大図、図４に図１（ａ）のＡ部付近の拡大斜視図を示す。
【００１５】
中枠１０は、液晶パネル（不図示）等を支持する額縁状の枠体であり、樹脂材料を好適に用いることができる。樹脂成形により複雑な形状でも成形でき、軽量化・薄型化も可能となる。中枠１０は、液晶表示面積を大きくするために細い形状が採用されている。その結果、単体ではねじれ易い構造となっている。そこにランプハウス等を従来のようにビス止めすると、ビスを締め付けた方向の応力によって中枠１０はねじれてしまう。この状態で中枠１０に液晶パネルや光学シートを載せると、それらにストレスがかかり、液晶パネルにリップルが生じたり、光学シートに皺が生じたりする。
【００１６】
そして、中枠１０の外側面には突起１０ａ〜１０ｄが設けられている。なお、突起１０ｃ、１０ｄは突起１０ａ、１０ｂと線対称な部分に設けられる。この突起１０ａ〜１０ｄは中枠１０の成形時に一体成形することができる。突起１０ａ〜１０ｄの形状は中枠１０の前面から背面方向に引っ掛かるようになっており、例えば、三角錐のような形状とすることができる。突起１０ａ〜１０ｄは後述するランプハウス１１の突片１１ａ〜１１ｄと係合して中枠１０にランプハウス１１を固定する。
【００１７】
ランプハウス１１は、中枠１０の背面に取り付けられ、ＬＥＤ等のランプを収納する部材である。図１では中枠１０の背面下部の枠に沿って設けられている。図２〜図４では中枠１０と区別するためランプハウス１１を斜線で示している。ランプハウス１１の材料としては金属や樹脂を用いることができる。特に金属を用いることにより強度を維持したまま薄型化が可能となる。例えば、ステンレス鋼（ＳＵＳ）が強度や成形性の点から好適に用いられる。このランプハウス１１により中枠１０が安定に支持され、中枠１０のねじれを低減することができる。
【００１８】
そして、ランプハウス１１の端部には開口部を有した突片１１ａ〜１１ｄが設けられている。突片１１ａ〜１１ｄは、中枠１０の外側面に沿って折り曲げられ、中枠１０の各突起１０ａ〜１０ｄに対向する位置に形成されている。開口部は突起１０ａ〜１０ｄがちょうど填る形状と大きさに形成する。この構成により、ランプハウス１１を中枠１０の背面側からはめ込むだけで突片１１ａ〜１１ｄが突起１０ａ〜１０ｄに係合し、ランプハウス１１が中枠１０に固定される。
【００１９】
このように、ビスを用いずに中枠１０にランプハウス１１をはめ込む構成とすることにより、ビスを締め付けた方向の応力によって中枠１０がねじれることがない。従って、中枠１０に液晶パネルや光学シートを載せても、それらにストレスがかかることがない。また、ビスを用いずに組み立てられるので作業効率作業効率を上げ、部品コストを削減することができる。また、ランプ交換作業等のために中枠１０からランプハウス１１を取り外す際にも道具を必要とせず手で簡単に外すことができる。
【００２０】
なお、突片１１ａ〜１１ｄの開口部は必ずしも貫通している必要はない。また、突片１１ａ〜１１ｄは、図１〜図４のような四角形状に限定されることはなく、突起１０ａ〜１０ｄに係合する形状であればよく、例えば突片の面積をもっと大きくした突片としてもよい。突片とすれば中枠１１との接触面積が増え、ランプハウス１１はより安定して中枠１０に支持される。
【００２１】
また、突片と突起の数には特に限定はなく、それらの数を増やすことでより安定してランプハウス１１を中枠１０に固定することができる。
【００２２】
また、突片１１ａ〜１１ｄの開口部と突起１０ａ〜１０ｄとを逆に設けてもよい。つまり、中枠１０に開口部を設け、ランプハウス１１に突起を設ける。この構成でも、ランプハウス１１を中枠１０の背面側からはめ込むだけで突片１１ａ〜１１ｄが突起１０ａ〜１０ｄに係合し、ランプハウス１１が中枠１０に固定される。なお、中枠１０の開口部は必ずしも貫通している必要はない。
【００２３】
また、突起１０ａ〜１０ｄは、図１〜図４では中枠１０の外側面に設けているが、中枠１０の内側面に設けてもよい。その場合、突片１１ａ〜１１ｄも突起１０ａ〜１０ｄに対向する位置に形成すればよい。
【００２４】
上記の実施形態では中枠１０とランプハウス１１との固定について説明したが、中枠１０と回路基板（不図示）との固定、中枠１０と裏蓋（不図示）との固定についても、同様に突片又は突起を設けることにより実現できる。
【産業上の利用可能性】
【００２５】
本発明の液晶表示装置は、液晶テレビやパソコンのディスプレイ等の大型の装置、携帯電話やＰＤＡ（Personal Digital Assistant）のディスプレイ等の小型の装置など幅広く利用することができる。
【図面の簡単な説明】
【００２６】
【図１】（ａ）ランプハウスが固定された中枠の側面図、（ｂ）ランプハウスが固定された中枠の背面図である。
【図２】図１（ａ）のＡ部の拡大図である。
【図３】図１（ｂ）のＢ部の拡大図である。
【図４】図１（ａ）のＡ部付近の拡大斜視図である。
【図５】（ａ）ランプハウスが固定された中枠の側面図、（ｂ）ランプハウスが固定された中枠の背面図である。
【図６】図５（ａ）のＣ部の拡大図である。
【図７】図５（ｂ）のＤ部の拡大図である。
【符号の説明】
【００２７】
１０、１００    中枠
１０ａ〜１０ｄ    突起
１１、１０１    ランプハウス
１１ａ〜１１ｄ    突片
１０２ａ〜１０２ｄ    ビス
【図１】
2005283867.tif 000003
【図２】
2005283867.tif 000004
【図３】
2005283867.tif 000005
【図４】
2005283867.tif 000006
【図５】
2005283867.tif 000007
【図６】
2005283867.tif 000008
【図７】
2005283867.tif 000009